(57)【要約】      （修正有）【課題】携帯通信端末を顔に当てた状態で通話しながら、タッチパネルに指による手書き文字入力を可能とする携帯通信端末を提供する。【解決手段】音声通話可能な携帯通信端末であって、筐体の第１の面１１に設けられ、接触による入力を検知するタッチセンサと、第１の面１１と反対に位置する第２の面１７に設けられ、通話時の音声を出力するレシーバ１６と、第２の面１７に設けられ、通話時の音声を入力するマイクロフォン１４と、第２の面１７に設けられ、物体の近接を検知する近接センサ１５を備え、タッチセンサは、音声通話中であり、かつ、近接センサ１５が物体の近接を検出している場合、手書き文字入力を受け付ける構成を備える。【選択図】図１
2013236345.tif 000002
【特許請求の範囲】
【請求項１】
音声通話可能な携帯通信端末であって、
筐体の第１の面に設けられ、接触による入力を検知する接触入力手段と、
前記筐体の前記第１の面と反対に位置する第２の面に設けられ、通話時の音声を出力する音声出力手段と、
前記筐体の前記第２の面に設けられ、通話時の音声を入力する音声入力手段と、
前記筐体の前記第２の面に設けられ、物体の近接を検知する近接検出手段と、を備え、
前記接触入力手段は、音声通話中であり、かつ、前記近接検出手段が物体の近接を検出している場合、手書き文字入力を受け付けることを特徴とする携帯通信端末。
【請求項２】
前記接触入力手段のうち、手書き文字入力を受け付ける領域は、音声通話中でない場合より、音声通話中であり、かつ、前記近接検出手段が物体の近接を検出している場合のほうが広く設定されることを特徴とする請求項１記載の携帯通信端末。
【請求項３】
前記接触入力手段のうち、手書き文字入力を受け付ける領域は、音声通話中であり、かつ、前記近接検出手段が物体の近接を検出している場合、最大に設定されることを特徴とする請求項２記載の携帯通信端末。
【請求項４】
筆跡と文字コードとを複数対応付けて記憶する記憶手段と、
前記接触入力手段が受け付けた第１の手書き文字および前記第１の手書き文字をミラー反転させた第２の手書き文字と、前記筆跡とを比較して文字認識する文字認識手段と、をさらに備えたことを特徴とする請求項１記載の携帯通信端末。
【請求項５】
前記文字認識手段は、前記第１の手書き文字および前記第２の手書き文字と、前記記憶手段に記憶された複数の筆跡とを比較し、最も類似する筆跡に対応付けられた文字コードを入力された文字として適用することを特徴とする請求項４記載の携帯通信端末。
【請求項６】
任意の可視情報を表示する表示手段をさらに備え、
前記接触入力手段と前記表示手段はタッチパネルを構成し、
前記表示手段は、音声通話中であり、かつ、前記近接検出手段が物体の近接を検出している場合、前記接触入力手段が受け付けた手書き文字入力の筆跡を表示しないことを特徴とする請求項１記載の携帯通信端末。
【請求項７】
音声通話可能な携帯通信端末であって、
筐体の第１の面に設けられ、接触による入力を検知する第１の接触入力手段と、
前記筐体の前記第１の面と反対に位置する第２の面に設けられ、通話時の音声を出力する音声出力手段と、
前記筐体の前記第２の面に設けられ、通話時の音声を入力する音声入力手段と、
前記筐体の前記第２の面に設けられ、物体の近接を検知する近接検出手段と、
前記筐体の前記第２の面に設けられ、接触による入力を検知する第２の接触入力と、を備え、
前記第１の接触入力手段は、音声通話中であり、かつ、前記近接検出手段が物体の近接を検出している場合、手書き文字入力を受け付けることを特徴とする携帯通信端末。
【請求項８】
前記第１の接触入力手段のうち、手書き文字入力を受け付ける領域は、音声通話中でない場合より、音声通話中であり、かつ、前記近接検出手段が物体の近接を検出している場合のほうが広く設定されることを特徴とする請求項７記載の携帯通信端末。
【請求項９】
前記第１の接触入力手段のうち、手書き文字入力を受け付ける領域は、音声通話中であり、かつ、前記近接検出手段が物体の近接を検出している場合、最大に設定されることを特徴とする請求項８記載の携帯通信端末。
【請求項１０】
筆跡と文字コードとを複数対応付けて記憶する記憶手段と、
前記第１の接触入力手段が受け付けた第１の手書き文字および前記第１の手書き文字をミラー反転させた第２の手書き文字と、前記筆跡とを比較して文字認識する文字認識手段と、をさらに備えたことを特徴とする請求項７記載の携帯通信端末。
【請求項１１】
前記文字認識手段は、前記第１の手書き文字および前記第２の手書き文字と、前記記憶手段に記憶された複数の筆跡とを比較し、最も類似する筆跡に対応付けられた文字コードを入力された文字として適用することを特徴とする請求項１０記載の携帯通信端末。
【請求項１２】
音声通話可能な携帯通信端末であって、
筐体の第１の面に設けられ、接触による入力を検知する第１の接触入力手段と、
筐体の第１の面に設けられ、任意の可視情報を表示する第１の表示手段と、
前記筐体の前記第１の面と反対に位置する第２の面に設けられ、通話時の音声を出力する音声出力手段と、
前記筐体の前記第２の面に設けられ、通話時の音声を入力する音声入力手段と、
前記筐体の前記第２の面に設けられ、物体の近接を検知する近接検出手段と、
前記筐体の前記第２の面に設けられ、接触による入力を検知する第２の接触入力と、
前記筐体の前記第２の面に設けられ、任意の可視情報を表示する第２の表示手段と、を備え、
前記第１の接触入力手段と前記第１の表示手段は第１のタッチパネルを構成し、
前記第２の接触入力手段と前記第２の表示手段は第２のタッチパネルを構成し、
前記第１の接触入力手段は、音声通話中であり、かつ、前記近接検出手段が物体の近接を検出している場合、手書き文字入力を受け付けることを特徴とする携帯通信端末。
【請求項１３】
前記第１の接触入力手段のうち、手書き文字入力を受け付ける領域は、音声通話中でない場合より、音声通話中であり、かつ、前記近接検出手段が物体の近接を検出している場合のほうが広く設定されることを特徴とする請求項１２記載の携帯通信端末。
【請求項１４】
前記第１の接触入力手段のうち、手書き文字入力を受け付ける領域は、音声通話中であり、かつ、前記近接検出手段が物体の近接を検出している場合、最大に設定されることを特徴とする請求項１３記載の携帯通信端末。
【請求項１５】
筆跡と文字コードとを複数対応付けて記憶する記憶手段と、
前記第１の接触入力手段が受け付けた第１の手書き文字および前記第１の手書き文字をミラー反転させた第２の手書き文字と、前記筆跡とを比較して文字認識する文字認識手段と、をさらに備えたことを特徴とする請求項１２記載の携帯通信端末。
【請求項１６】
前記文字認識手段は、前記第１の手書き文字および前記第２の手書き文字と、前記記憶手段に記憶された複数の筆跡と比較し、最も類似する筆跡に対応付けられた文字コードを入力された文字として適用することを特徴とする請求項１５記載の携帯通信端末。
【請求項１７】
前記第１の表示手段は、音声通話中であり、かつ、前記近接検出手段が物体の近接を検出している場合、前記第１の接触入力手段が受け付けた手書き文字入力の筆跡を表示しないことを特徴とする請求項１２記載の携帯通信端末。
【発明の詳細な説明】
【技術分野】
【０００１】
本発明は、タッチパネルもしくはタッチパッドを備えた携帯通信端末に係り、特に音声通話中に手書きによる文字入力ができる携帯通信端末に関する。
【背景技術】
【０００２】
近年、携帯電話やスマートフォンなどの携帯通信端末には、ユーザーからの操作を受け付けるための入力装置として、タッチパネルが搭載されているものが増えてきている。
【０００３】
タッチパネルが搭載されている携帯通信端末には、手書きによる文字入力を受け付けるようになっているものもあり、メールなどの文面を作成する際に手書きにより文字入力ができるようになっている。
【０００４】
また、従来、タッチパネルが搭載されている携帯通信端末には、音声出力手段であるレシーバと、音声入力手段であるマイクロフォンが、タッチパネルと同一面に備えられてるため、携帯通信端末を顔に当てた状態で通話しながら、タッチパネルにより手書き文字入力することができない。従って、例えば携帯通信端末で通話中に、メモをとりたくなった場合などにおいても、タッチパネルに手書き入力することによりメモをとることができないといった課題が生じる。
【０００５】
そこで、特許文献１には、レシーバとマイクロフォンをタッチパネルとは反対面に配置することで、タッチパネルに顔や耳が当たることによる誤作動を回避するとともに、通話中にタッチパネルによる入力を受け付けることで、音量調整などの通話に関する入力操作ができるようにする技術が開示されている。
【０００６】
また、特許文献２には、通話中にタッチペンで手書き入力することを受け付ける技術が開示されている。
【先行技術文献】
【特許文献】
【０００７】
【特許文献１】特開２０１１−８２７２４号公報
【特許文献２】特開平１０−１２４４６３号公報
【発明の概要】
【発明が解決しようとする課題】
【０００８】
しかしながら、上述の特許文献に記載されたいずれの技術も、通話中にタッチパネルによる手書き文字入力を受け付けることは想定していない。
【０００９】
また、携帯通信端末を顔に当てた状態で通話しながら、タッチパネルに指で手書き文字入力する場合、具体的に以下３つの課題が発生する。
【００１０】
まず１つ目に、手書きで入力する文字を目で見ることができないため、手書き入力した文字が文字入力可能領域からはみ出してしまうというおそれがある。
【００１１】
そして２つ目は、特に携帯通信端末を利き手とは反対の手で持っていた場合に、手書き入力される文字がミラー反転された文字になってしまうことが有り得る。
【００１２】
最後３つ目に、手書き入力するタッチパネルが顔とは反対側の外側を向いているため、手書き入力した指の軌跡や入力した文字が表示されてしまうと、その内容を第３者に見られてしまうおそれがある。
【００１３】
本発明は上記事情に鑑みてなされたもので、携帯通信端末を顔に当てた状態で通話しながら、タッチパネルに指による手書き文字入力を可能とする携帯通信端末を提供することを目的とする。
【課題を解決するための手段】
【００１４】
本発明の携帯通信端末は、音声通話可能な携帯通信端末であって、筐体の第１の面に設けられ、接触による入力を検知する接触入力手段と、前記筐体の前記第１の面と反対に位置する第２の面に設けられ、通話時の音声を出力する音声出力手段と、前記筐体の前記第２の面に設けられ、通話時の音声を入力する音声入力手段と、前記筐体の前記第２の面に設けられ、物体の近接を検知する近接検出手段と、を備え、前記接触入力手段は、音声通話中であり、かつ、前記近接検出手段が物体の近接を検出している場合、手書き文字入力を受け付ける構成を有する。
【００１５】
これにより、携帯通信端末を顔に当てた状態で音声通話しながら、指による手書き文字入力の実行が可能となる。
【００１６】
また、本発明の携帯通信端末は、前記接触入力手段のうち、手書き文字入力を受け付ける領域は、音声通話中でない場合より、音声通話中であり、かつ、前記近接検出手段が物体の近接を検出している場合のほうが広く設定されてもよい。
【００１７】
これにより、携帯通信端末を顔に当てた状態で通話しながら、指による手書き入力を実行する際に、通話中でない場合よりも手書き入力を受け付ける領域を広げることができる。
【００１８】
また、本発明の携帯通信端末は、前記接触入力手段のうち、手書き文字入力を受け付ける領域は、音声通話中であり、かつ、前記近接検出手段が物体の近接を検出している場合、最大に設定されてもよい。
【００１９】
これにより、携帯通信端末を顔に当てた状態で通話しながら、指による手書き入力を実行する際に、手書き入力した文字が、手書き文字入力可能領域からはみ出さないようにすることができる。
【００２０】
また、本発明の携帯通信端末は、筆跡と文字コードとを複数対応付けて記憶する記憶手段と、前記接触入力手段が受け付けた第１の手書き文字および前記第１の手書き文字をミラー反転させた第２の手書き文字と、前記筆跡とを比較して文字認識する文字認識手段とをさらに備えてもよい。
【００２１】
これにより、入力した手書き文字と、それをミラー反転させた文字の両方を文字認識させることができる。
【００２２】
また、本発明の携帯通信端末は、前記文字認識手段が、前記第１の手書き文字および前記第２の手書き文字と、前記記憶手段に記憶された複数の筆跡とを比較し、最も類似する筆跡に対応付けられた文字コードを入力された文字として適用することにしてもよい。
【００２３】
これにより、ユーザーが手書き入力した文字がミラー反転されていてもいなくても、ユーザーが意図して入力した文字を正しく認識することができる。
【００２４】
また、本発明の携帯通信端末は、任意の可視情報を表示する表示手段をさらに備え、前記接触入力手段と前記表示手段はタッチパネルを構成し、前記表示手段は、音声通話中であり、かつ、前記近接検出手段が物体の近接を検出している場合、前記接触入力手段が受け付けた手書き文字入力の筆跡を表示しないことにしてもよい。
【００２５】
これにより、携帯通信端末を顔に当てた状態で音声通話したときに、タッチパネルが顔とは反対側を向いていても、前記タッチパネルに手書き文字入力した筆跡を表示させないことにより第３者に手書き入力した文字を見られないようにすることができる。
【００２６】
また、本発明の携帯通信端末は、音声通話可能な携帯通信端末であって、筐体の第１の面に設けられ、接触による入力を検知する第１の接触入力手段と、前記筐体の前記第１の面と反対に位置する第２の面に設けられ、通話時の音声を出力する音声出力手段と、前記筐体の前記第２の面に設けられ、通話時の音声を入力する音声入力手段と、前記筐体の前記第２の面に設けられ、物体の近接を検知する近接検出手段と、前記筐体の前記第２の面に設けられ、接触による入力を検知する第２の接触入力と、を備え、前記第１の接触入力手段は、音声通話中であり、かつ、前記近接検出手段が物体の近接を検出している場合、手書き文字入力を受け付けてもよい。
【００２７】
これにより、携帯通信端末を顔に当てた状態で音声通話しながら、指による手書き文字入力の実行が可能となる。
【００２８】
また、本発明の携帯通信端末は、前記第１の接触入力手段のうち、手書き文字入力を受け付ける領域は、音声通話中でない場合より、音声通話中であり、かつ、前記近接検出手段が物体の近接を検出している場合のほうが広く設定されてもよい。
【００２９】
これにより、携帯通信端末を顔に当てた状態で通話しながら、指による手書き入力を実行する際に、通話中でない場合よりも手書き入力を受け付ける領域を広げることができる。
【００３０】
また、本発明の携帯通信端末は、前記第１の接触入力手段のうち、手書き文字入力を受け付ける領域は、音声通話中であり、かつ、前記近接検出手段が物体の近接を検出している場合、最大に設定されてもよい。
【００３１】
これにより、携帯通信端末を顔に当てた状態で通話しながら、指による手書き入力を実行する際に、手書き入力した文字が、手書き文字入力可能領域からはみ出さないようにすることができる。
【００３２】
また、本発明の携帯通信端末は、筆跡と文字コードとを複数対応付けて記憶する記憶手段と、前記第１の接触入力手段が受け付けた第１の手書き文字および前記第１の手書き文字をミラー反転させた第２の手書き文字と、前記筆跡とを比較して文字認識する文字認識手段と、をさらに備えてもよい。
【００３３】
これにより、入力した手書き文字と、それをミラー反転させた文字の両方を文字認識させることができる。
【００３４】
また、本発明の携帯通信端末は、前記文字認識手段が、前記第１の手書き文字および前記第２の手書き文字と、前記記憶手段に記憶された複数の筆跡とを比較し、最も類似する筆跡に対応付けられた文字コードを入力された文字として適用することにしてもよい。
【００３５】
これにより、ユーザーが手書き入力した文字がミラー反転されていてもいなくても、ユーザーが意図して入力した文字を正しく認識することができる。
【００３６】
また、本発明の携帯通信端末は、音声通話可能な携帯通信端末であって、筐体の第１の面に設けられ、接触による入力を検知する第１の接触入力手段と、筐体の第１の面に設けられ、任意の可視情報を表示する第１の表示手段と、前記筐体の前記第１の面と反対に位置する第２の面に設けられ、通話時の音声を出力する音声出力手段と、前記筐体の前記第２の面に設けられ、通話時の音声を入力する音声入力手段と、前記筐体の前記第２の面に設けられ、物体の近接を検知する近接検出手段と、前記筐体の前記第２の面に設けられ、接触による入力を検知する第２の接触入力と、前記筐体の前記第２の面に設けられ、任意の可視情報を表示する第２の表示手段と、を備え、前記第１の接触入力手段と前記第１の表示手段は第１のタッチパネルを構成し、前記第２の接触入力手段と前記第２の表示手段は第２のタッチパネルを構成し、前記第１の接触入力手段は、音声通話中であり、かつ、前記近接検出手段が物体の近接を検出している場合、手書き文字入力を受け付けることにしてもよい。
【００３７】
これにより、携帯通信端末を顔に当てた状態で音声通話しながら、指による手書き文字入力の実行が可能となる。
【００３８】
また、本発明の携帯通信端末は、前記第１の接触入力手段のうち、手書き文字入力を受け付ける領域は、音声通話中でない場合より、音声通話中であり、かつ、前記近接検出手段が物体の近接を検出している場合のほうが広く設定されてもよい。
【００３９】
これにより、携帯通信端末を顔に当てた状態で通話しながら、指による手書き入力を実行する際に、通話中でない場合よりも手書き入力を受け付ける領域を広げることができる。
【００４０】
また、本発明の携帯通信端末は、前記第１の接触入力手段のうち、手書き文字入力を受け付ける領域は、音声通話中であり、かつ、前記近接検出手段が物体の近接を検出している場合、最大に設定されてもよい。
【００４１】
これにより、携帯通信端末を顔に当てた状態で通話しながら、指による手書き入力を実行する際に、手書き入力した文字が、手書き文字入力可能領域からはみ出さないようにすることができる。
【００４２】
また、本発明の携帯通信端末は、筆跡と文字コードとを複数対応付けて記憶する記憶手段と、前記第１の接触入力手段が受け付けた第１の手書き文字および前記第１の手書き文字をミラー反転させた第２の手書き文字と、前記筆跡とを比較して文字認識する文字認識手段と、をさらに備えてもよい。
【００４３】
これにより、入力した手書き文字と、それをミラー反転させた文字の両方を文字認識させることができる。
【００４４】
また、本発明の携帯通信端末は、前記文字認識手段が、前記第１の手書き文字および前記第２の手書き文字と、前記記憶手段に記憶された複数の筆跡と比較し、最も類似する筆跡に対応付けられた文字コードを入力された文字として適用することにしてもよい。
【００４５】
これにより、ユーザーが手書き入力した文字がミラー反転されていてもいなくても、ユーザーが意図して入力した文字を正しく認識することができる。
【００４６】
また、本発明の携帯通信端末は、前記第１の表示手段が、音声通話中であり、かつ、前記近接検出手段が物体の近接を検出している場合、前記第１の接触入力手段が受け付けた手書き文字入力の筆跡を表示しないことにしてもよい。
【００４７】
これにより、携帯通信端末を顔に当てた状態で音声通話したときに、タッチパネルが顔とは反対側を向いていても、前記タッチパネルに手書き文字入力した筆跡を表示させないことにより第３者に手書き入力した文字を見られないようにすることができる。
【発明の効果】
【００４８】
本発明によれば、携帯通信端末で音声通話時に接触入力手段による手書き文字入力を受付け、手書き入力された文字が正しく文字認識されるようにすることで、音声通話時に手書きによるメモをとることが可能となる。
【図面の簡単な説明】
【００４９】
【図１】本発明の実施の形態１における携帯通信端末の外観図
【図２】本発明の実施の形態１における携帯通信端末のブロック図
【図３】本発明の実施の形態１における携帯通信端末のフローチャート
【図４】本発明の実施の形態１及び実施の形態３における携帯通信端末の手書き入力可能領域の変化を示す図
【図５】本発明の実施の形態２における携帯通信端末の外観図
【図６】本発明の実施の形態２における携帯通信端末のブロック図
【図７】本発明の実施の形態２における携帯通信端末のフローチャート
【図８】本発明の実施の形態２における携帯通信端末の手書き入力可能領域を示す図
【図９】本発明の実施の形態３における携帯通信端末の外観図
【図１０】本発明の実施の形態３における携帯通信端末のブロック図
【図１１】本発明の実施の形態３における携帯通信端末のフローチャート
【発明を実施するための形態】
【００５０】
以下、本発明の実施の形態について、図面を参照して詳細に説明する。
【００５１】
（実施の形態１）
図１は、本発明の実施の形態１における携帯通信端末の外観図である。
【００５２】
本発明の実施の形態１における携帯通信端末は、図１に示すように、筐体の第１の面１１にタッチパネル１２が配置されている。
【００５３】
前記タッチパネル１２は表示手段であるディスプレイ（図２のディスプレイ２１）と、ディスプレイの上面に配置された接触入力を検出する接触入力手段（図２のタッチセンサ２２）とで構成される。
【００５４】
ディスプレイ２１は、任意の可視情報を表示する機能を有し、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）などで構成される。
【００５５】
タッチセンサ２２は、ユーザーの指やスタイラスペンなどからの接触を検出することにより入力を受け付けるものであり、その検出方法としては、接触の圧力変化を感知する感圧式、静電容量の変化を感知する静電式などを適用することができる。
【００５６】
タッチパネル１２が配置された筐体の第１の面１１の反対面である筐体の第２の面１７には、通話時の音声を出力する音声出力手段であるレシーバ１６と、通話時の音声を入力する音声入力手段であるマイクロフォン１４と、物体の近接を検知する近接検出手段である近接センサ１５がそれぞれ配置される。
【００５７】
本発明の実施の形態１では、音声通話時において、ユーザーが筐体の第２の面１７を顔に近づけて通話を行うことを想定している。
【００５８】
図２は、本発明の実施の形態１における携帯通信端末の概略構成を示すブロック図である。
【００５９】
図２に示すように、本実施の形態１の携帯通信端末は、上述したディスプレイ２１、タッチセンサ２２、近接センサ１５、レシーバ１６、マイクロフォン１４のほかに、ＣＰＵ３１と、表示制御部３２と、入力制御部３３と、近接制御部３４と、通信制御部３５と、記憶部３６と、音声制御部３７と、アンテナ４１とを備える。
【００６０】
ＣＰＵ３１は携帯通信端末の各種動作を制御するもので、表示制御部３２、入力制御部３３、近接制御部３４、通信制御部３５、記憶部３６、音声制御部３７に接続されて携帯通信端末全体の動作を制御するものであり、所定のプログラムによって動作するプロセッサを主体に構成される。
【００６１】
表示制御部３２は、ディスプレイ２１に対する表示インターフェイスを備え、ＣＰＵ３１の制御に基づいて、任意の可視情報をディスプレイ２１に表示させる。
【００６２】
入力制御部３３は、タッチセンサ２２に対する入力インターフェイスを備え、タッチセンサ２２からのユーザーの指などによる接触の検出信号を入力位置の座標情報としてＣＰＵ３１に伝送する。
【００６３】
近接制御部３４は、近接センサ１５からのユーザーの顔が近接した検出信号をＣＰＵ３１に伝送する。
【００６４】
音声制御部３７は、ＣＰＵ３１の制御に基づいて、マイクロフォン１４からの音声信号をデジタル音声信号に変換し、ＣＰＵ３１に伝送する。また、音声制御部３７は、ＣＰＵ３１からデジタル音声信号が入力されると、そのデジタル音声信号をアナログ音声信号に変換し、レシーバ１６から音声として出力する。
【００６５】
記憶部３６は、タッチパネル１２に入力された任意の手書き文字の筆跡データを記憶する手書き文字記憶部３６ａと、複数の筆跡データパターンに文字コードが対応づけて登録されている筆跡データパターン登録部３６ｂと、入力された手書き文字を複数の筆跡データパターンと比較して文字認識した結果を記憶する文字認識結果記憶部３６ｃとを有する。
【００６６】
通信制御部３５は、ＣＰＵ３１の制御に基づいて、基地局からアンテナ４１を介して受信した受信信号を復元する。復元した受信信号はＣＰＵ３１の制御により、音声制御部３７に伝送されてレシーバ１６から音声として出力されたり、表示制御部３２に伝送されてディスプレイ２１に表示されたりする。
【００６７】
図３は、本実施の形態１における携帯通信端末で手書き文字入力を行う動作を説明するためのフローチャートである。
【００６８】
携帯通信端末にて通話が開始され（ステップＳ１０１）、ユーザーが携帯通信端末を顔に近づけると、近接センサ１５がユーザーの顔が近接するのを検出し（ステップＳ１０２、Ｙｅｓ）、表示制御部３２はディスプレイ２１の表示をＯＦＦにする（ステップＳ１０３）。
【００６９】
次に、入力制御部３３はタッチパネル１２からの手書き入力の受付けを有効にする（ステップＳ１０４）とともに、ＣＰＵ３１は手書き入力が可能な領域を、図４で示すように左の斜線部から右の斜線部に拡大することで、手書き文字入力を受け付ける領域が最大となるようにする（ステップＳ１０５）。
【００７０】
次に、タッチパネル１２に対して手書き文字入力がなされた場合（ステップＳ１０６、Ｙｅｓ）、入力された手書き文字の筆跡データを第１の手書き文字として記憶部３６の手書き文字記憶部３６ａに保存する。また、第１の手書き文字をミラー反転させた文字についても第２の手書き文字として記憶部３６の手書き文字記憶部３６ａに保存する。尚このとき、ステップＳ１０３でディスプレイ２１の表示をＯＦＦにしているので、入力された手書き文字の筆跡は表示されない。
【００７１】
手書き文字記憶部３６ａに保存された第１の手書き文字及び第２の手書き文字は、ＣＰＵ３１の制御に基づいて、記憶部３６の筆跡データパターン登録部３６ｂに登録されている複数の筆跡データパターンとそれぞれ比較され（ステップＳ１１０）、その中から最も類似する筆跡データパターンを抽出し、筆跡データパターン登録部３６ｂに登録されている前記最も類似する筆跡データパターンに対応づけられた文字コードを記憶部３６の文字認識結果記憶部３６ｃに保存する（ステップＳ１１１）。
【００７２】
次に、近接センサ１５がユーザーの顔を検出したままであれば（ステップＳ１１２、Ｙｅｓ）、ステップＳ１０６に戻り、次の手書き文字入力を受け付ける状態に移行し、ユーザーが携帯通信端末から顔を離し、近接センサ１５が顔の近接を検出しなくなったらステップＳ１１３に移行する。
【００７３】
なお、タッチパネル１２に対して手書き文字入力がなされない場合（ステップＳ１０６、Ｎｏ）についても、ステップＳ１１２に移行し、上記と同じフローで動作する。
【００７４】
ステップＳ１１３では、表示制御部３２は、ＣＰＵ３１の制御に基づいて記憶部３６の文字認識結果記憶部３６ｃに保存された文字コードに対応する文字もしくは文字列をディスプレイ２１に表示させる（文字認識結果記憶部３６ｃに保存されている文字コードが１つの場合は１つの文字、複数の場合は複数の文字からなる文字列をそれぞれ表示させる）。なお、ここで、文字認識結果記憶部３６ｃに保存された文字コードが何も無い場合はディスプレイ２１には何も表示させない。
【００７５】
ディスプレイ２１に表示された文字もしくは文字列に対しては必要に応じて任意の修正が可能であり、タッチパネル１２に対してユーザーからの入力操作がなされた場合は修正を受け付ける（ステップＳ１１４）。
【００７６】
例えば、ディスプレイ２１に表示されている文字列にユーザーが意図しない文字が含まれていた場合に、当該の意図しない文字を削除し、別の文字を入力するといった修正をタッチパネル１２に対する入力操作により受け付けるようにする。
【００７７】
次に、もしユーザーが再び携帯通信端末を顔に当て、近接センサ１５が顔の近接を検出した場合は（ステップＳ１１５、Ｙｅｓ）、ディスプレイ２１の表示をＯＦＦにし（ステップＳ１１６）、ステップＳ１０６に移行することにより、新たな手書き文字入力ができるようにするが、近接センサ１５がユーザーの顔を検出しなければステップＳ１１７に移行する。
【００７８】
ステップＳ１１７では、ユーザーが携帯通信端末に通話終了の操作（例えばタッチパネル２１の通話終了アイコンをタッチするなど）を実施したかどうかを判断する。ステップＳ１１７でＹｅｓの場合は、本実施の形態１における携帯通信端末の手書き文字入力を行う動作フローは終了し、Ｎｏの場合は、ステップＳ１１４に戻り、継続してディスプレイ２１に表示された文字もしくは文字列に対する任意の修正を受け付ける。
【００７９】
本発明の実施の形態１によれば、レシーバ、マイクロフォン、近接センサがタッチパネルと反対面に配置されている携帯通信端末で音声通話時にタッチパネルによる手書き文字入力を受け付け、手書き入力された文字が正しく文字認識されるようにすることで、音声通話時に手書きによるメモをとることが可能となる。
【００８０】
（実施の形態２）
前述した実施の形態１では、レシーバ、マイクロフォン、近接センサがタッチパネルと反対面に配置されている携帯通信端末を例にとって説明したが、本実施の形態２では図５に示すように、レシーバ４６、マイクロフォン４４、近接センサ４５がタッチパネル４８と同一面に配置されている携帯通信端末の例を示す。
【００８１】
図５に示すように、本実施の形態２の携帯通信端末は、筐体の第２の面４７にタッチパネル４８が配置されており、筐体の第１の面４１にはタッチパッド４２が配置されている。
【００８２】
本実施の形態２では、タッチパネル４８が配置されている筐体の第２の面４７に顔を近づけて通話を行うため、通話中の手書き入力は、筐体の第１の面４１に配置されたタッチパッド４２に対して行う。
【００８３】
図６は本実施の形態２の携帯通信端末の概略構成を示すブロック図である。
【００８４】
図６に示すように、本実施の形態２の携帯通信端末は、タッチパッド４２を構成する第１のタッチセンサ５２と、タッチパネル４８を構成する第２のタッチセンサ５３と、第１のタッチセンサ５２の入力インターフェースを備えた第１の入力制御部６３と、第２のタッチセンサ５３の入力インターフェイスを備えた第２の入力制御部６７が構成されている他は、実施の形態１における携帯通信端末と同様のブロック図となっている。
【００８５】
図７は本実施の形態２における携帯通信端末で手書き文字入力を行う動作を説明するためのフローチャートである。
【００８６】
本実施の形態２では、実施の形態１と異なり、タッチパネル４８が配置されている面を顔に近づけて通話を行うが、ステップＳ２０１からステップＳ２０３までのフローは実施の形態１と同様である。
【００８７】
実施の形態１では通話中の手書き入力をタッチパネルに対して行ったが、本実施の形態２ではタッチパッド４２に対して行うため、ステップＳ２０４ではタッチパッドによる手書き入力を有効にする。同様にステップＳ２０５においてもタッチパッドの手書き入力可能領域を図８の斜線部に設定することで、手書き文字入力を受け付ける領域が最大となるようにする。
【００８８】
その後のステップＳ２０６以降のフローは、実施の形態１と同様である。
【００８９】
本発明の実施の形態２によれば、レシーバ、マイクロフォン、近接センサがタッチパネルと同一面に配置されており、前記タッチパネルと反対面にタッチパッドが配置されている携帯通信端末で、音声通話時にタッチパッドによる手書き文字入力を受け付け、手書き入力された文字が正しく文字認識されるようにすることで、音声通話時に手書きによるメモをとることが可能となる。
【００９０】
（実施の形態３）
前述した実施の形態２では、筐体の第１の面に、タッチパッドを配置したが、本実施の形態３では、筐体の第１の面にもタッチパネルを配置し、筐体の第１の面と筐体の第２の面の両面にタッチパネルを配置した携帯通信端末の例を示す。
【００９１】
図９に示すように、本実施の形態３の携帯通信端末は、筐体の第１の面７１に第１のタッチパネル７２、筐体の第２の面に第２のタッチパネル７８がそれぞれ配置されている。
【００９２】
本実施の形態３では、第２のタッチパネル７８が配置されている筐体の第２の面７７を顔に近づけて通話を行うため、通話中の手書き入力は筐体の第１の面７１に配置された第１のタッチパネル７２に対して行う。
【００９３】
図１０は本実施の形態３の携帯通信端末の概略構成を示すブロック図である。
【００９４】
図１０に示すように、本実施の形態３の携帯通信端末は、第１のタッチパネル７２を構成する第１のタッチセンサ８２及び第１のディスプレイ８１と、第２のタッチパネル７８を構成する第２のタッチセンサ８４及び第２のディスプレイ８３と、第１のタッチセンサ８２の入力インターフェースを備えた第１の入力制御部９３と、第１のディスプレイ８１の表示インターフェイスを備えた第１の表示制御部９２と、第２のタッチセンサ８４の入力インターフェイスを備えた第２の入力制御部９５と、第２のディスプレイ８３の表示インターフェイスを備えた第２の表示制御部９８が構成されている他は、実施の形態１における携帯通信端末と同様のブロック図となっている。
【００９５】
図１１は本実施の形態３における携帯通信端末で手書き文字入力を行う動作を説明するためのフローチャートである。
【００９６】
ステップＳ３１９までのフローは実施の形態１と同様であるが、本実施の形態３では、ディスプレイが２面あるため、ステップＳ３２０では、第１のディスプレイ８１と第２のディスプレイ８３の表示をＯＦＦにする。
【００９７】
次に、本実施の形態３では通話中の手書き入力を第１のタッチパネル７２に対して行うため、ステップＳ３２１では第１のタッチパネル７２による手書き入力を有効にし、ステップＳ３２２では第１のタッチパネル７２による手書き入力可能領域を図４で示すように左の斜線部から右の斜線部に拡大することで、手書き文字入力を受け付ける領域が最大となるようにする。
【００９８】
その後、ステップＳ３２３からステップＳ３２８までのフローは実施の形態１と同様であるが、ステップＳ３２８でＮｏの場合は、記憶部に保存された文字コードに対応する文字もしくは文字列を第２のディスプレイに表示させる（第１のディスプレイの表示はＯＦＦにしたまま）（ステップＳ３２９）。
【００９９】
ステップＳ３３０以降のフローは、ステップＳ３３２で第２のディスプレイの表示をＯＦＦにする他は、実施の形態１と同様である。
【０１００】
本発明の実施の形態３によれば、両面にタッチパネルが配置されている携帯通信端末で、音声通話中にレシーバ、マイクロフォン、近接センサが配置されている面とは反対面のタッチパネルによる手書き文字入力を受け付け、手書き入力された文字が正しく文字認識されるようにすることで、音声通話時に手書きによるメモをとることが可能となる。
【産業上の利用可能性】
【０１０１】
本発明によれば、携帯通信端末で音声通話時に接触入力手段による手書き文字入力を受付け、手書き入力された文字が正しく文字認識されるようにすることで、音声通話時に手書きによるメモをとることができるといった効果を有し、携帯電話、スマートフォン等の携帯通信端末の文字入力機能として有用である。
【符号の説明】
【０１０２】
１１、４１、７１    筐体の第１の面
１７、４７、７７    筐体の第２の面
１２、４８    タッチパネル
７２    第１のタッチパネル
７８    第２のタッチパネル
１４、４４、７４    マイクロフォン
１６、４６、７６    レシーバ
１５、４５、７５    近接センサ
２１、５１    ディスプレイ
８１    第１のディスプレイ
８３    第２のディスプレイ
２２    タッチセンサ
５２、８２    第１のタッチセンサ
５３、８４    第２のタッチセンサ
３２、６２    表示制御部
９２    第１の表示制御部
９８    第２の表示制御部
３３    入力制御部
６３、９３    第１の入力制御部
６７、９５    第２の入力制御部
３４、６４、９４    近接制御部
３１、６１、９１    ＣＰＵ
３５、６５、８５    通信制御部
３６、６６、９６    記憶部
３６ａ、６６ａ、９６ａ    手書き文字記憶部
３６ｂ、６６ｂ、９６ｂ    筆跡データパターン登録部
３６ｃ、６６ｃ、９６ｃ    文字認識結果記憶部
３７、６８、９７    音声制御部
４１、６９、９９    アンテナ
４２    タッチパッド
【図１】
2013236345.tif 000003
【図２】
2013236345.tif 000004
【図３】
2013236345.tif 000005
【図４】
2013236345.tif 000006
【図５】
2013236345.tif 000007
【図６】
2013236345.tif 000008
【図７】
2013236345.tif 000009
【図８】
2013236345.tif 000010
【図９】
2013236345.tif 000011
【図１０】
2013236345.tif 000012
【図１１】
2013236345.tif 000013